(57)【特許請求の範囲】
【請求項１】
偏向補正を行うビデオ・ディスプレイ装置であって、
陰極線管と、
前記陰極線管に装着された偏向コイルと、
前記偏向コイルに結合されており、正弦波形状のラスタ・エッジを描くための水平線長さ変化をもつラスタを発生する偏向電流を、前記偏向コイルに生じさせる偏向増幅器と、
前記偏向コイルに結合されており、複合補正信号に応じて補正電流を前記偏向コイルに生じさせるダイオードモジュレータと、
台形補正成分を含んだピンクッション補正のために放物線形状信号を生成する補正信号ジェネレータと、
前記放物線形状信号および幅決定ＤＣ成分に結合されている増幅器であって、該増幅器は周波数選択性帰還を行うためのキャパシタを備えており、前記複合補正信号を生成し、該複合補正信号は、一般に、前記増幅器によって前記放物線形状信号と実質的に同時に生成される正弦波信号成分を含むよう修正された前記放物線形状を含み、ラスタ補正を行うために前記ダイオードモジュレータに結合されている増幅器と、
を具備したことを特徴とするビデオ・ディスプレイ装置。
【請求項２】
偏向波形補正装置であって、
放物線形状補正信号を発生する信号源と、
入力された変調信号に応じて偏向電流の変調を行うサイド・ピンクッション・モジュレータと、
前記放物線形状信号および幅決定ＤＣ成分に結合された増幅器であって、該増幅器は、台形補正成分を含んだピンクッション補正のために前記放物線形状補正信号を修正して前記変調信号を形成する伝達特性を有し、前記変調信号は、前記増幅器によって前記放物線形状信号と実質的に同時に生成される正弦波信号成分を含むよう修正された前記放物線形状補正信号増幅器と、
を具備したことを特徴とする偏向波形補正装置。
【請求項３】
投写されたラスタの歪み補正を行うビデオ投写形ディスプレイ装置であって、
複数の陰極線管と、
前記複数の陰極線管のそれぞれに装着された複数の偏向コイルと、
前記複数の偏向コイルに結合されており、正弦波形状のラスタ・エッジを描く水平線長さ変化をもつ投写ラスタを発生する偏向電流を該複数の偏向コイルに生成する偏向増幅器と、
複合補正信号に応答し、且つ前記偏向増幅器に結合されて補正電流を生成する波形モジュレータと、
台形補正成分を含んだピンクッション補正を行うために、放物線形状信号を生成する複合補正信号ジェネレータと、
前記放物線形状信号および幅決定ＤＣ成分に結合されている増幅器であって、該増幅器は周波数選択性帰還を備えており、前記増幅器によって前記放物線形状信号とほぼ同時に生成される正弦波形状成分を含むよう修正された放物線形状信号を有する前記複合補正信号を生成し、前記複合補正信号はラスタ補正を行うために前記波形モジュレータに結合されている増幅器と、
を具備したことを特徴とするビデオ投写形ディスプレイ装置。
【発明の詳細な説明】
【０００１】
【産業上の利用分野】
本発明はビデオ・ディスプレイ（表示装置）の分野に関し、特に、陰極線管ディスプレイ用の偏向波形補正信号を生成することに関する。
【０００２】
なお、本明細書の記述は本件出願の優先権の基礎たる米国特許出願第０８／２４１，０２１号（１９９４年５月１１日出願）の明細書の記載に基づくものであって、当該米国特許出願の番号を参照することによって当該米国特許出願の明細書の記載内容が本明細書の一部分を構成するものとする。
【０００３】
【背景技術】
マニュファクチャリング・コストとプロダクション・コストの面を考慮した場合、直視形(direct view) テレビジョン受像機の設計を利用して投写形(projection)ディスプレイ受像機の基礎を形成することが行われる。このような投写形ディスプレイ受像機の設計は、その基礎となる受像機設計の変更を最小限にして、製造、テストおよびアラインメント作業手順がほとんど変更されないようにすることを前提としている。
【０００４】
投写形ビデオ・ディスプレイでは、直視形ディスプレイに関するラスタ歪みは、曲面プレートＣＲＴを使用することにより、また、光学投写通路に固有の倍率により、悪化するおそれがある。
【０００５】
直視形偏向波形の補正を行うこと、および、投写形ラスタに関するコンバーゼンス仕様をより厳格にするために必要なことの組み合わせは、さらに別の偏向補正波形の使用を必要とする。
【０００６】
【発明の概要】
本発明は、偏向補正を行うビデオ・ディスプレイであって、偏向コイルが装着され、一般的な正弦波形状のラスタ・エッジを描く水平線長さ変化を伴うラスタを生成するための陰極線管(cathode ray tube - CRT)を備えたビデオ・ディスプレイを提供する。偏向増幅器(deflection amplifier)は偏向コイルに結合され、そこに偏向電流を生成せている。モジュレータ(modulator) が偏向コイルに結合され、補正信号に応じてそこに補正電流を生成させている。一般的な正弦波形状をもつ前記補正信号を生成するために、補正信号ジェネレータ(corrective signal generator) はモジュレータに結合され、ラスタ・エッジの補正を行う。
【０００７】
【実施例】
陰極線管投写形ビデオ・ディスプレイは図１に示されている。３つの陰極線管が機械的に配置され、光学的に結合されて、ＣＲＴ蛍光表示面からスクリーン上にイメージを投写するようになっている。ビデオ信号は端子Ａから入力され、クロミナンス分離回路(chrominance separation circuit)に結合され、そこでカラー信号、例えば、レッド（赤）、グリーン（緑）、ブルー（青）が抜き出され、表示のために該当するＣＲＴに結合される。この入力信号は同期セパレータ(sync separator)にも結合され、そこで水平同期パルスと垂直同期パルスに分離して、水平オシレータ・偏向ジェネレータ(horizontal oscillator and deflection generator)および垂直オシレータ・偏向ジェネレータ(vertical oscillator and deflection generator)の同期をとるために結合される。垂直偏向増幅器は、直列に接続された垂直偏向コイルに結合されている。水平偏向ジェネレータは、並列に接続された水平偏向コイルに結合されている。水平偏向波形補正信号はダイード・モジュレータ(diode modulator) と結合され、そこで３ラスタすべての補正が行われる。
【０００８】
投写ディスプレイで要求される追加の幾何学的補正(geometrical correction)は補助偏向コイル(auxiliary deflection coils)から得られ、この補助偏向コイルは、各ＣＲＴにおける水平偏向補正と垂直偏向補正の両方を行う機能を備えている。水平補助偏向コイルは、各々が補正信号の振幅を調整するための複数のツマミ（コントロール）をもつ個々の増幅器によって駆動される。ある種の補正波形は、特定のラスタ・エッジのエリアだけの補正を行うために生成され、これらの波形の持続時間はトレース期間(trace period)より短くなっている。主水平偏向ジェネレータ(main horizontal deflection generator)は水平偏向を発生し、さらに、マスタ水平波形補正、例えば、ピンクッション(pincushion)補正および台形(trapezium) 補正を３ラスタすべてにおいて行う。なお、マスタ・ピンクッションおよび台形のコントロールは、水平ラスタ全体にわたってアクティブになっているが、あるラスタ・エッジ、例えば、右側のラスタ・エッジをとりわけ補正するように調整される。図２（Ｊ）はグリーン・ラスタまたはディスプレイ・イメージの典型例を示す図であり、マスタ台形およびピンクッション補正が水平偏向コイルによって加えられ、右側ＲＨＳで最適化されていることを示している。ラスタまたはディスプレイの左側ＬＨＳは、水平補助偏向コイルに生成された補正電流によって個々のＣＲＴで調整される。これらの補助偏向電流によって、例えば、直線性(linearity) 、ピンクションおよび台形補正が得られ、これは限られたラスタ・エリアにわたって操作可能になっている。従って、水平ラスタ補正は、主偏向コイルと補助偏向コイルの両方で加えられる補正電流を組み合わせることにより達成される。
【０００９】
ビデオ・ディスプレイ信号は端子Ａに結合されており、そこからクロミナンス・プロセッサ４０および同期パルス・ジェネレータ２０へ送られる。クロミナンス・プロセッサ４０はこのディスプレイ信号からカラー信号、例えば、レッドＲ、グリーンＧおよびブルーＢを抜き出し、これらは該当するカラーのＣＲＴに結合される。同期パルス・セパレータ２０は、入力されたディスプレイ信号から水平同期パルスと垂直同期パルスを抜き出す。分離された水平同期パルスＨは、同期をとるために水平オシレータ・偏向増幅器７０に結合される。垂直同期パルスは、垂直偏向ジェネレータ８０の同期をとるように結合されている。垂直偏向ジェネレータは、直列に接続されている、各ＣＲＴの垂直偏向コイルに結合された偏向増幅器を含んでいる。垂直レートのこぎり歯信号(vertical rate sawtooth signal) である偏向電流サンプルＩｓは、偏向増幅器８０から波形ジェネレータ１０に結合されている。偏向増幅器８０によって生成された垂直帰線パルス(vertical retrace pulse)ＶＲＴは、パルスおよび波形ジェネレータ３０に結合されている。波形ジェネレータ１０は垂直のこぎり歯波形Ｉｓを処理し、ピンクッション補正のための放物線形状信号を生成する。垂直のこぎり歯波形Ｉｓはまたコントロール（ツマミ）ＴＲＡＰを介して結合され、ピンクッション補正信号における台形補正成分が得られるようになっている。波形ジェネレータ１０の出力信号は、垂直レートのこぎり歯成分をもつ放物線信号を含み、これは振幅コントロール（ツマミ）ＰＩＮを介して結合されている。複合ピンクッションおよび台形補正信号(composite pincushion and trapezium correction signal)は、本実施例特有の加算・波形整形増幅器(summing and waveform shaping amplifier)５０に結合され、そこで複合ピンクッションおよび台形補正信号Ｃ１は、幅決定ＤＣ成分(width determining DC component)と組み合わされる。加算・波形整形増幅器５０は、キャパシタＣｓを介した周波数感応フィードバク(frequency sensitive feedback)を採用している利点があり、これは、複合補正波形に加えられる、別の補正成分を生成するように選択されている。図２（Ｃ）は、ピンクッション歪みと台形歪みが共に補正されているが、垂直レートＳまたは正弦波形状の水平線長さ誤差を表示しているラスタを示している。図２（Ｄ）は、放物線ピンクッション補正信号を増幅器５０で処理して得ると有利である、補正効果を含んでいる補正ラスタを示している。
【００１０】
増幅器５０の出力に現れた、整形済み補正および幅決定信号Ｈｃは、ダーリントン構成に接続されてなるペアのトランジスタＱ１およびＱ２を含むピンクッション・パワー増幅器(pincushion power amplifier)６０に結合されている。パワー増幅器６０はダイオード・モジュレータ(diode modulator) ６５に結合されており、その動作方法は公知である。ダイオード・モジュレータ６５は、公知のように、偏向増幅器７０の出力端に結合されており、補正電流Ｉ１ｃｏｒを生成する。この補正電流を使用すると、３ディスプレイ管すべてにおける偏向幅の制御と一緒に、水平偏向信号のピンクッション、台形およびＳ形状補正を行うことができる。偏向増幅器７０はまた水平オシレータも備え、これは、セパレータ２０によってビデオ・ディスプレイ信号から生成された分離水平同期パルスＨにより、同期がとられている。水平帰線パルスＨＲＴは水平出力トランス (horizontal output transformer)（図示せず）の巻線により生成され、波形ジェネレータ１０および３０に結合されている。
【００１１】
図１は３つの陰極線管１００，２００，３００を示し、これらは、個別のカラー・ラスタを投写して単一のラスタをスクリーン５００上に形成するように機械的に配置されている。各ＣＲＴは、そこに結合されたカラー信号に該当する、本質的にモノクロのカラー・ラスタを表示する。例えば、グリーン・ラスタを表示する中央のＣＲＴ２００は、ラスタ中心がスクリーン５００に直交するよう配置されている。他の２つのディスプレイ管は、中央のディスプレイ管の位置からずれて左右対称に配置されているので、そのラスタのどの部分もスクリーン上に直交して投写されないようになっている。従って、図１の非常に単純化された構成では、外側の表示ラスタは、電子ビーム走査の結果発生する他の幾何学的ひずみのほかに、台形の幾何学的歪みを受けることになる。図１に示す陰極線管は、カーブした凹球面の蛍光表示面になっている。曲面プレート(curved face flate) 陰極線管は、例えば、Ｐ１６ＬＥＴ０７（ＲＪＡ）形レッド・チャネル、Ｐ１６ＬＥＴ０７（ＨＫＡ）形グリーン・チャネル、Ｐ１６ＬＥＴ０７（ＢＭＢ）ブルー・チャネルとしてＭＡＴＳＵＳＨＩＴＡ社で製造されたものがある。凹球面蛍光面上に形成されるイメージは、球体の表面上に投写されるイメージに類似しているものと考えることができる。シフト調整を行うと生じる結果を考えると、幾何学的補正の複雑さが理解されるはずである。このように水平方向または垂直方向に移動を行うと、イメージのコーナがエッジ中心とは異なるレートで移動することになる。つまり、シフト調整を行うと、ディスプレイのピンクッション歪みと台形歪みが組み合わされることになる。従って、投写イメージはスクリーン上に重なり合った３つのラスタから構成されているので、電子ビーム偏向、管面プレート形状および光学的表示パスから生じた組み合わせディスプレイ歪みを補償するには、補正偏向波形を組み合わせることが必要である。
【００１２】
図１に示すように、各陰極線管は４つのコイルを備えている。例えば、レッドＣＲＴ１００には、水平偏向コイルＲＨ、垂直偏向コイルＲＶ、および補助偏向コイルＲＶＣとＲＨＣが示されている。補助偏向コイルは、それぞれ垂直偏向補正と水平偏向補正を行うものである。グリーンとブルーのディスプレイ管コイル群はレッドＣＲＴのものと同じである。図１のエレメント５００内に示す機能は、主水平偏向回路から得たものに付加される形で水平偏向補正を行うものと考えることができる。
【００１３】
垂直補助偏向コイルは適当な補正信号（図示せず）で駆動される。各水平補助偏向コイルは補助偏向増幅器によって駆動される。例えば、レッド補助コイルＲＨＣは増幅器１１０に結合されており、同様に増幅器２１０はグリーン補助コイルＧＨＣに結合され、増幅器３１０はブルー補助コイルＢＨＣに結合されている。レッド、グリーンおよびブルー補助水平偏向増幅器は、それぞれ水平補助偏向コイルＲＨＣ，ＧＨＣおよびＢＨＣに補正電流Ｉ２ｃｏｒＲ，Ｉ２ｃｏｒＧおよびＩ２ｃｏｒＢを生成する。
【００１４】
レッドとブルーの補助水平偏向増幅器１１０と３１０は簡略化して示すために、別々に制御される３つの補正信号入力だけが示されている。つまり、左側線形性（リニアリティ）Ｌ１、左側ピンクッションＬｐ、および左側台形Ｌｔである。実際には、レッドとブルー補助偏向増幅器は各々、約８個の異なる補正信号をもち、これらは増幅器によって制御可能に加算される。グリーン補助偏向増幅器２１０は、図示のように、２つの補正信号入力をもっている。つまり、左側ピンクッションＬｐと左側台形Ltである。グリーン増幅器の補正入力信号がレッドおよびブルーよりも少なくなっているのは、グリーンＣＲＴラスタまたはイメージが基準として使用され、レッドとブルーのラスタまたは投写イメージがその基準に合わせて整合または集束されるためである。
【００１５】
図２は、ラスタ歪みの種々の形態を示したものである。水平ピンクッションまたは東西(East West) 歪みは図２（Ａ）に示されている。図２（Ｂ）は台形またはくさび形(keystone)の幾何学的歪みを示している。図２（Ｃ）に示すように、水平線長さは、Ｓまたは垂直レート・サイン関数の形で垂直レートで変化している。補正された表示ラスタは図２（Ｄ）に示されている。
【００１６】
左側線形性Ｌ１、左側ピンクッションＬｐおよび左側台形Ｌｔの補正信号は、パルス・波形ジェネレータ３０によって生成される。図２（Ｅ）は、水平偏向台形補正信号のある水平インターバルを示している。このような信号の生成は公知である。例えば、この信号は、水平レートのこぎり歯を垂直レートのこぎり歯で乗算または変調することにより得られる。例えば、左側エッジのように、あるラスタ・エッジの補正は図２（Ｆ）に示すような信号を生成すると達成できる。この場合、変調された信号は、水平期間の一部の間だけ現れている。図２（Ｆ）には、左側水平偏向台形補正信号が示されているが、この波形はどちらかのエッジで補正が得られるように生成することも、切り捨てることも可能である。さらに、波形を図示のように、正確に水平トレース期間の中心で開始または終了させる必要はない。このような左側または右側補正波形を生成する方法は公知である。例えば、米国特許第４，９３５，７６４号には、切り捨てられた種々の波形を生成することが開示されている。
【００１７】
ピンクッション補正信号は図２（Ｇ），（Ｈ），（Ｉ）に示されている。図２（Ｇ）は垂直レートで観察したときの変調放物線形状を示している。図２（Ｈ）は同じ補正信号を示しているが、これは水平レートで観察したもので、水平レート・ランプ(ramp)の振幅変調を示している。図２（Ｉ）に示すように、振幅変調水平レート・ランプは水平インターバルの第１部分の間に生成されている。図３は、波形ジェネレータ１０、本実施例特有の加算増幅器５０、ピンクッション増幅器６０およびダイオード・モジュレータ６５を含んでいる主水平偏向補正回路を示す電子回路図である。
【００１８】
２６Ｖ電源はキャパシタＣ１によって減結合(decouple)され、さらに、グランドに直列接続されたツェーナ・ダイオードＤ１とダイオードＤ２のカソードに抵抗Ｒ６を介して印加される。ダイオードＤ２はダイオードＤ１のツェーナ電流によって順方向バイアスがかけられ、温度補償を行う。ダイオードＤ１は、１８Ｖブレークダウン電位をもち、キャパシタＣ２によってグランドに減結合されている。
【００１９】
のこぎり歯形状信号である、垂直偏向電流サンプルＩｓは、例えば、関数生成集積回路(function generating integrated circuit)Ｕ１（例えば、タイプＴＤＡ８１４６）の反転入力端に入力抵抗Ｒ１を介して印加される。この集積回路Ｕ１はパルス幅変調回路も含んでおり、これは、必要ならば、モジュレータのスイッチング駆動信号を生成するために使用できる。２６Ｖ電源は抵抗Ｒ１１を介してＵ１のピン８に結合されている。内部電圧基準およびスターティング回路は、Ｕ１のピン５からグランドに接続された抵抗Ｒ５によってバイアスがかけられている。Ｕ１のピン１０にある未使用水平帰線パルス入力端は、抵抗Ｒ９を介してグランドに接続されている。Ｕ１のピン９にある未使用内部ツェーナ・クリッピング・ダイオードは、抵抗Ｒ１０を介してグランドに接続されている。キャパシタＣ４はＵ１のピン１１とグランドとの間に接続され、このキャパシタは内部パルス幅モジュレータと併用されて、水平レートのこぎり歯形状信号を生成するために必要とされる。
【００２０】
集積回路Ｕ１内の関数生成回路は非線形特性をもつ増幅器を含んでおり、この増幅器はのこぎり歯形状の入力信号Ｉｓから放物線形状信号を生成するものである。抵抗Ｒ１はポテンシオメータ(potentiometer) Ｒ２  ＴＲＡＰの一方の端にも接続され、このポテンシオメータの他方の端は集積回路（ＩＣ）Ｕ１の非反転入力端に接続されている。ポテンシオメータＲ２の摺動子は、ツェーナ・ダイオードＤ１によって生成された１８Ｖ  ＤＣ電位に抵抗Ｒ３を介して結合されている。ポテンシオメータＲ２の摺動子位置を変えると、差動バイアス電流(differential bias current) が増幅器入力端に流れ込むので、出力の放物線形状信号はチルト(tilt)されるか、あるいは垂直レートのこぎり歯形状ランプ(ramp)上に実効的に重ね合わされることになる。従って、ポテンショメータＲ２  ＴＲＡＰは、台形形状補正の制御を行うことになる。ＩＣ  Ｕ１の非反転入力端は抵抗Ｒ４を介してグランドにも接続されている。
【００２１】
Ｕ１のピン１２における放物線ジェネレータ出力端は、抵抗Ｒ７とＲ８で形成された分圧器(potential divider) に接続されている。抵抗Ｒ７は１８Ｖ電源に接続され、抵抗Ｒ８はグランドに接続されている。分圧器は出力端子を約８．５Ｖ  ＤＣにセットしている。放物線補正信号出力端はキャパシタＣ３を介してＡＣ結合され、このキャパシタは入力信号を可変抵抗Ｒ１２  ＰＩＮに結合して、補正信号の振幅を制御する。可変抵抗Ｒ１２は、集積回路増幅器５０（例えば、タイプＬＭ  ７４１）の反転入力端に接続されている。
【００２２】
集積回路増幅器５０は、本実施例による周波数感応負帰還(frequency sensitive negative feedback) が出力端子から反転入力端に結合されている加算増幅器として構成されている。周波数感応帰還は抵抗Ｒ１６とキャパシタＣｓの並列接続により得られる。加算増幅器５０は低周波利得をもち、これは抵抗Ｒ１２  ＰＩＮの設定値によって決まる。ＡＣ利得は、主に帰還キャパシタ(feedback capacitor)Ｃｓによって決まる。このキャパシタＣｓは約６０Ｈｚ以上でＡＣ利得を減少させ、１０ｋＨｚ以上で約２６ｄＢの減少に達するように選択されている。図２（Ｃ）に示すラスタ歪みは、垂直レートで観察したときの公称正弦波の水平線長さ誤差を示し、長さ誤差はラスタの上部、中央および下部でゼロになっている。従って、ラスタ・エッジ直線化を得るためには、ラスタ上部、中央および下部でゼロ補正を生じる信号と共に、公称正弦波補正信号が必要である。図２（Ｋ）は、垂直レートで観察したときの水平偏向電流の公称正弦波振幅変調を示し、この電流から図２（Ｃ）に示す歪みの必要なエッジ直線化が得られる。
【００２３】
帰還キャパシタＣｓによる周波数応答整形の結果は、直観的に考慮することができる。加算増幅器５０への公称放物線補正信号入力は、垂直周波数の基本成分に、複数の高調波成分を加えたものと考えることができる。従って、望ましい補正信号は垂直周波数の公称正弦波であるので、基本放物線信号成分の振幅を増強すると、望ましい補正が得られる。放物線信号の基本成分振幅は、２次高調波成分および高次の高調波成分の振幅を小さくすると実効的に大きくなる。周波数選択的帰還は、補正信号Ｈｃの公称放物線形状を歪めるので、放物線信号上に実効的に重ねられる必要な正弦波補正成分が得られる。しかし、基本波形の形状は本質的に放物線のままであり、周波数選択的帰還(frequency selective feedback)により公称的遅延のみがなされる。従って、正弦波成分は一般的に正確に位置づけられるので、つまり、位相合わせされるので、ラスタ上部、中央および下部で補正効果が本質的にゼロとなる必要な補正が達成される。高次の高調波成分を減衰すると、放物線尖頭形状は軽微な変更を受けるが、複合補正信号の総補正効果に大きな悪影響を与えることはない。
【００２４】
反転入力端は、抵抗Ｒ１５を介して非反転入力端に結合されている。非反転入力端は、抵抗Ｒ１４を介してポテンシオメータＲ１３  ＷＩＤＴＨの摺動子に結合され、このポテンシオメータは１８Ｖ電源とグランドとの間に接続されている。ポテンシオメータＲ１３からは、調節可能な幅決定ＤＣ電位が得られ、加算増幅器５０の非反転入力端に印加される。増幅器５０の出力はＤＣ幅電位と、垂直レート傾斜(tilted)放物線信号と、キャパシタＣｓに起因する垂直レート正弦波成分とを加算したものからなるアナログ信号である。増幅器５０は抵抗Ｒ１７を介して２６Ｖ  ＤＣ電源に接続されている。増幅器５０の出力端は抵抗Ｒ１８とＲ１９の接合点に接続され、抵抗Ｒ１８はグランドに接続されている。抵抗Ｒ１９を介して、加算補正信号は、ＰＮＰトランジスタＱ１とＱ２を含むダーリントン接続増幅器６０に結合されている。トランジスタＱ１のエミッタはトランジスタＱ２のベースに直接接続され、両トランジスタのコレクタはグランドに接続されている。トランジスタＱ２のエミッタ端子はダイオード・モジュレータ６０に接続され、そこから補正電流Ｉ１ｃｏｒが得られ、水平偏向振幅を静的にも、動的にも制御することができる。
【００２５】
直視型シャーシ設計を基礎とした投写形ビデオ・ディスプレイの開発により、偏向補正信号を主偏向コイルと補助偏向コイルの両方に印加することが可能になり、さらに、エッジ直線化補正信号を発生することが可能になる。
【図面の簡単な説明】
【図１】本発明の一実施例によるＣＲＴ投写形ビデオ・ディスプレイ装置を示すブロック図である。
【図２】種々の歪みを示すラスタと、種々の補正信号波形とを示す図である。
【図３】図１のビデオ・ディスプレイ装置に内蔵された回路を示す図である。
【符号の説明】
１０  波形ジェネレータ
２０  同期セパレータ
５０  主偏向補正増幅器
６０  ピンクッション増幅器
６５  ダイオード・モジュレータ
７０  水平オシレータ＆偏向増幅器
１００  陰極線管
２００  陰極線管
３００  陰極線管
【図１】
0004142116.tif 000002
【図２】
0004142116.tif 000003
【図３】
0004142116.tif 000004